(57)【要約】【課題】外観及び施工性が良好で、コストが安価な木製サッシを提供する【解決手段】木製の框１６，１８と、框１６，１８の室外側の周縁部に取り付けられた金属製の保持部材２８と、保持部材２８に形成され框１６，１８に対して平行に形成された溝状の保持部３１と、保持部３１に周縁部が差し込まれ保持される複層ガラス板３４とを備える。保持部材２８には、框１６，１８に向かって突出する取付部３２が設けられ、框１６，１８には取付部３２が嵌合される取付用溝部２２が形成されている。取付部３２を取付用溝部２２に差し込んだ状態で、框１６，１８に取付部３２を貫通するビス３５を螺合し、保持部材２８を框１６，１８に固定する。【選択図】      図１
2004162333.tif 000002
【特許請求の範囲】
【請求項１】
木製の框と、上記框の室外側の周縁部に取り付けられ上記框より細い金属製の保持部材と、上記保持部材に形成され上記框に対して平行に形成された溝状の保持部と、上記保持部にその周縁部が差し込まれ保持される複層ガラス板が設けられていることを特徴とする木製サッシ。
【請求項２】
上記框は建築物躯体に取り付けられた外枠に設けられ、上記外枠の室外側には上記建築物の外壁が設けられ、上記外壁と上記框が略面一に、隣接して設けられていることを特徴とする請求項１記載の木製サッシ。
【請求項３】
上記保持部材には、上記框に向かって突出する保持突起が設けられ、上記框には上記保持突起が嵌合される取付用溝部が形成され、上記保持突起を上記取付用溝部に差し込んだ状態で、上記框に上記保持突起を貫通するビスを螺合して上記保持部材を上記框に固定したことを特徴とする請求項１記載の木製サッシ。
【発明の詳細な説明】
【０００１】
【発明の属する技術分野】
この発明は、建築物の開口部に取り付けられる木製サッシに関する。
【０００２】
【従来の技術】
【特許文献】特開２００２−６１４５９号公報
従来、木製サッシは外観意匠が良好であるが耐候性が高くないため、木材保護塗料を塗布したり、アルミニウムのカバーを取り付けたり、塩化ビニルの被覆を施したものなどがある。しかし、木材保護塗料や塩化ビニルの被覆は、太陽光や雨風の影響で劣化するため数年に一度程度のメンテナンスが必要であり、コストがかかるものであった。また、アルミニウムのカバーは、外観上木製サッシとならず木製の良さが活かされていないものであった。さらに塩化ビニルの被覆を施した場合、焼却時のダイオキシンの発生が問題となり、廃棄処理が難しいものであった。
【０００３】
また、木製サッシの框の外側に、ガラスを取り付けるものとして、特許文献１に示す木製サッシがある。この木製サッシは、ガラス板が複数層に設けられている複層ガラスを用いたものであり、複層ガラスの外側の１枚が框の外側面に取りつけられている。この外側のガラス板は、金属製の保持部材を介して框に保持されている。
【０００４】
【発明が解決しようとする課題】
特許文献１の場合、複層ガラスの室内側のガラス板と室外側のガラス板で大きさが異なり、組み立て及び取り扱いが難しいものであり、施工作業効率が良くなく、コストもかかるものであった。
【０００５】
この発明は上記従来の問題点に鑑みてなされたものであり、外観及び施工性が良好で、コストが安価な木製サッシを提供することを目的とする。
【０００６】
【課題を解決するための手段】
この発明は、木製の框と、上記框の室外側の周縁部に取り付けられた金属製の保持部材と、上記保持部材に形成され上記框に対して平行に形成された溝状の保持部と、上記保持部にその周縁部が差し込まれ保持される複層ガラス板が設けられている木製サッシである。上記保持部材は上記框の幅よりも細く、上記框が、上記複層ガラスを介して外部から見えるものである。
【０００７】
上記框は建築物躯体に取り付けられた外枠に設けられ、上記外枠の室外側には上記建築物の外壁が設けられ、上記外壁と上記框が略面一に、隣接して設けられている。上記保持部材には、上記框に向かって突出する保持突起が設けられ、上記框には上記保持突起が嵌合される取付用溝部が形成され、上記保持突起を上記取付用溝部に差し込んだ状態で、上記框に上記保持突起を貫通するビスを螺合して上記保持部材を上記框に固定するものである。
【０００８】
この発明の木製サッシは、保持部材に一対のガラス板を取り付け、その後に保持部材を框に取り付けるため、一対のガラス板を一度に框に取り付けることができ施工性が良好である。木製の框の室外側をガラス板で覆うため、耐候性が向上する。保持部材はガラス板の周縁部をわずかな幅で覆うため、ガラス板を通して框が目視され、外観がよい。
【０００９】
【発明の実施の形態】
以下、この発明の実施形態について図面に基づいて説明する。図１〜図３は、この発明の一実施形態について示したものであり、この実施形態の木製サッシ１０は、建築物躯体１１に取り付けられる木製の外枠１２の内側開口部に、開閉可能な木製障子１４が設けられている。
【００１０】
木製障子１４は、外枠１２の下枠内側に平行に設けられた下框１６と、外枠１２の上枠内側に平行に設けられた上框１８と、下框１６と上框１８の両端部を連結しほぼ垂直に位置する一対の縦框２０が設けられている。下框１６の室外側面１６ａには、後述する保持部材２８の保持突起である第二取付部３２が差し込まれる取付用溝部２２が、下框１６の下側面１６ｂに対してほぼ平行に、且つ長手方向に沿って形成されている。また下框１６の、下側面１６ｂと室内側面１６ｃの間の角部が切除されて凹部２４が形成されている。凹部２４の内側角部には、室内側面１６ｃに対してほぼ平行なパッキン用溝部２６が、長手方向に沿って形成されている。
【００１１】
上框１８にも同様に、室外側面１８ａに取付用溝部２２が形成され、上側面１８ｂと室内側面１８ｃの間の角部には凹部２４とパッキン用溝部２６が設けられている。
【００１２】
一対の縦框２０にも同様に、室外側面２０ａに取付用溝部２２が形成され、上側面２０ｂと室内側面２０ｃの間の角部には凹部２４とパッキン用溝部２６が設けられている。
【００１３】
木製障子１４の下框１６と上框１８、各縦框２０の室外側面１６ａ，１８ａ，２０ａには、アルミ製の長尺部材である保持部材２８が一周して取り付けられている。保持部材２８の、長手方向に対して直角な断面形状は、木製障子１４の中心側に開口するコの字形の溝状の保持部３１と、保持部３１の底面板３１ａが各框の方に延出して形成されている板状の第一取付部３０と、保持部３１の各框側の側面３１ｂ先端から、第一取付部３０に対して平行に各框の方へ延出して形成されている板状の第二取付部３２が設けられている。第二取付部３２は第一取付部３０よりも短く形成され、各框の取付用溝部２２の深さにほぼ一致している。
【００１４】
そして、保持部材２８の保持部３１の内側に、保持部３１の底面板３１ａに敷かれたゴムパッキン３３を介して、一対の同形のガラス板３４の周縁部が差し込まれて設けられている。一対のガラス板３４は、複層ガラスを構成するもので、互いに平行に設けられ、保持部３１の、互いに対面する内壁に各々当接し、接着剤により固定されている。一対のガラス板３４の間にはガラス板３４の端縁部に、気密材３６が設けられている。
【００１５】
また保持部材２８は、第二取付部３２が各框の溝部２２に差し込まれ、第一取付部３０が各框の外側面に当接されている。そして、第一取付部３０表面から各框の内側に向かってビス３５が螺合され、第一取付部と第二取付部３２はビス３５で各框とともに貫通されて固定されている。
【００１６】
ガラス板３４と下框１６、上框１８、各縦框２０で構成された木製障子１４は、一方の縦框２０に、縦框２０に対して平行な軸部材３７を介して外枠１２に揺動自在に取り付けられている。各框の凹部２４には、外枠１２に対面するように帯状のパッキン３８が取りつけられている。パッキン３８は、幅方向の一側縁部がパッキン用溝部２６に差し込まれ、反対の側縁部はわずかに木製障子１４の外側に突出している。パッキン３８の幅方向の中心は外枠１２の方へ湾曲して突出し、確実に外枠１２に気密に当接するようになっている。また木製障子１４には、開閉操作と施錠を行う図示しない持ち手が取り付けられている。
【００１７】
外枠１２の、障子１４から露出する室外側の側面には、保護用のカバー４０が設けられている。外枠１２の周辺には、外壁４２が建築物１１の構造材に設けられている。
【００１８】
次に木製サッシ１０の組付方法について説明する。まず、保持部材２８の保持部３１に一対のガラス板３４を気密材３６を間に挟んだ状態で接着する。そしてガラス板３４の四方に保持部材２８を取り付けた状態で、保持部材２８の第一取付部３０を各框の外側面に当接させ、第二取付部３２を各框の取付用溝部２２に差し込み、第一取付部３０の外側から第二取付部３２を貫通するようにビス３５を各框に打ち込み、固定して木製障子１４を作る。木製障子１４にパッキン３８と、図示しない持ち手を取り付けた後、木製障子１４を軸部材３７を介して外枠１２に取り付ける。なお、この組付方法は、一例であり構造や施工現場に合わせて自由に変更可能である。
【００１９】
この実施形態の木製サッシ１０によれば、簡単な施工方法で効率よく組み立てられ、木製の長所を活かし、なおかつ耐候性を向上させることができる。木製の下框１６と上框１８、各縦框２０は、室外側面はガラス板３４で覆われ、紫外線や雨風による劣化を防ぎ、耐候性が向上する。各框はガラス板３４を透過して室外から視認され、木の暖かみを感じる等の効果がある。また室内側は木製の各框が露出し、肌触りが良好でや湿度調整を行う等の木の特長を効果的に得ることができる。一対のガラス板３４は保持部材２８により互いに一体に組み立てられてから一度に各框に取り付けるため、取り扱いが簡単で正確に組み立てることができる。保持部材２８は各框に第一取付部３０と第二取付部３２の二箇所で固定されるため、高い取付強度で確実に固定され、安全である。保持部材２８は、各框の周囲を縁取りするように設けられるため、すっきりとした印象となる。また、メンテナンスが容易でガラス板３４の交換も容易なため、ランニングコストが抑えられる。また、構造及び枠寸法は市販品でよく、既存の商品と統一化することができ、専用の寸法に加工する必要がなく、便利である。
【００２０】
なお、木製サッシ１０は、例えば図４に示すように外枠１２の厚みを少なくして、外装材４２を外枠１２の室外側に取り付け、木製障子１４と面一に隣接させても良い。これにより、外観がすっきりとしたものになり、また各框を外壁４２で囲むことにより、高い耐候性と剛性を得ることができる。
【００２１】
そのほか、この発明の実施形態の木製サッシが適用されるものとして、窓のほか、玄関やテラス等の開閉自在の開口部の木製サッシや、閉め切りのＦＩＸ窓にも適用可能である。木製障子は揺動して開閉するもののほか、引き違いにより開閉するものも含むものである。また、保持部材や気密材等、各部材の形状や素材、大きさなど、自由に変更可能である。
【００２２】
【発明の効果】
この発明の木製サッシは、室外側は木製の框をガラスが覆って耐候性を向上させ、室内側は木が露出して木の長所を生かすことができる。また、組立性、施工性が良好であり、コストダウンすることができる。
【図面の簡単な説明】
【図１】この発明の一実施形態の木製サッシの縦断面図である。
【図２】この実施形態の木製サッシの部分破断斜視図である。
【図３】この実施形態の木製サッシの横断面図である。
【図４】この実施形態の木製サッシの変形例を示す横断面図である。
【符号の説明】
１０  木製サッシ
１１  建築物躯体
１２  外枠
１４  木製障子
１６  下框
１８  上框
２０  縦框
２２  取付用溝部
２４  凹部
２６  パッキン用溝部
２８  保持部材
３０  第一取付部
３１  保持部
３２  第二取付部
３３，３８  パッキン
３４  ガラス板
３５  ビス
３６  気密材
３７  軸部材
４０  カバー
４２  外壁
【図１】
2004162333.tif 000003
【図２】
2004162333.tif 000004
【図３】
2004162333.tif 000005
【図４】
2004162333.tif 000006